(57)【要約】【課題】  外壁パネル３のメンテナンスが容易であるとともに、建物の様々な部分の外壁パネル３を軸組４に支持することができる外壁パネル支持具１を提供する。【解決手段】  外壁パネル支持具１は、外壁パネル３を建物の軸組４に支持させる外壁パネル支持具１であって、前記軸組４の上に固定される水平部５と、当該水平部５の屋外側端部から折曲されて直立する垂直部６と、によりＬ字状に形成された板状の支持具本体７と、該支持具本体７の前記水平部５を前記軸組４の水平に架設される部分に支持される支持部１１と、前記支持具本体７の前記垂直部６から屋外方向に突出し、前記外壁パネル３に設けられた貫入孔１２に貫入して当該外壁パネル３を支持する受部１３と、を備える。【選択図】図１
2010222906.tif 000002
【特許請求の範囲】
【請求項１】
外壁パネルを建物の軸組に支持させる外壁パネル支持具であって、
前記軸組の上に配置される水平部と、当該水平部の屋外側端部から折曲されて直立する垂直部と、によりＬ字状に形成された支持具本体と、
該支持具本体の前記水平部に貫通して固定され、水平に架設された前記軸組に載置される支持部と、
前記支持具本体の前記垂直部から屋外方向に突出し、前記外壁パネルに設けられた貫入孔に貫入して当該外壁パネルを支持する受部と、を備えることを特徴とする外壁パネル支持具。
【請求項２】
請求項１に記載の外壁パネル支持具を用いた外壁パネルの支持構造であって、
前記外壁パネルには、前記軸組に取付けたときに、前記支持具本体の他端側に設けられた受部に整合する位置に前記貫入孔を設けたことを特徴とする外壁パネルの支持構造。
【発明の詳細な説明】
【技術分野】
【０００１】
この発明は、住宅等の建物において建物の軸組に外壁パネルを固定する外壁パネル支持具及び外壁パネルの支持構造に関し、特に、同じ外壁パネル支持具を用いて建物の様々な位置に固定される外壁パネルを支持することのできる外壁パネル支持具及び外壁パネルの支持構造に関する。
【背景技術】
【０００２】
従来より、鉄骨系の住宅等の建物において、建物の躯体を構成する軸組に外壁パネルを固定するために溶接や接着などの様々な方法が用いられてきた。特に近年においては、外壁パネルの取り付けをより容易なものとするとともに、外壁パネルを取り外してメンテナンスすることができる種々の外壁パネルの支持構造が提案されている。
【０００３】
例えば、図８に示すように、外壁パネル１００を軸組１０１に固定するために、垂直部１０２と水平部１０３とを有するＬ字状の支持具１０４の垂直部１０２を軸組１０１を構成する溝型鋼に溶接Ａによって固定し、水平部１０３が外壁パネル１００の下端を下方から支持する支持具１０４が開示されている（例えば特許文献１第２図参照）。このようにすると、外壁パネル１００の重さは支持具１０４で受けることができる。
【先行技術文献】
【特許文献】
【０００４】
【特許文献１】特開２００１−１１５５７９号公報
【発明の概要】
【発明が解決しようとする課題】
【０００５】
しかし、外壁パネルは建物のどの部分に固定するものであるかによって軸組との位置関係が異なるため、外壁パネルの下端と水平に架設された軸組とが上下方向に大きく離反している場合においては、支持具の垂直部を長く形成する必要があるなど、建物の部分によって複数種類の支持具が必要となる。
【０００６】
そこで、本発明は、外壁パネルの取外し、交換が容易であるとともに、建物の様々な部分の外壁パネルを軸組に支持することができる外壁パネル支持具を提供することを目的とする。
【課題を解決するための手段】
【０００７】
請求項１に記載の外壁パネル支持具は、外壁パネルを建物の軸組に支持させる外壁パネル支持具であって、前記軸組の上に配置される水平部と、当該水平部の屋外側端部から折曲されて直立する垂直部と、によりＬ字状に形成された支持具本体と、該支持具本体の前記水平部に貫通して固定され、水平に架設された前記軸組に載置される支持部と、前記支持具本体の前記垂直部から屋外方向に突出し、前記外壁パネルに設けられた貫入孔に貫入して当該外壁パネルを支持する受部と、を備えることを特徴としている。
【０００８】
請求項２に記載の外壁パネルの支持構造は、請求項１に記載の外壁パネル支持具を用いた外壁パネルの支持構造であって、前記外壁パネルには、前記軸組に取付けたときに、前記支持具本体の他端側に設けられた受部に整合する位置に前記貫入孔を設けたことを特徴としている。
【発明の効果】
【０００９】
請求項１に記載の外壁パネル支持具によると、外壁パネルに設けられた貫入孔に受部が挿入されて外壁パネルを支持するので、外壁パネルの下端位置が水平に架設された軸組から上下方向に大きく離反しているような場合でも外壁パネル支持具の垂直部を長く延ばすことなく外壁パネルを支持することができ、外壁パネルの下端位置にかかわらず同じ外壁パネル支持具を用いることができる。したがって、同じ種類の外壁パネル支持具を様々な箇所で用いることができ、部品の種類を減らすことができる。また、外壁パネル支持具はその支持部において、単に軸組に載置されているだけであるので、メンテナンスなどで外壁パネルを取り外す必要がある場合に、屋外側から簡単に外壁パネルを取り外すことができる。
【００１０】
請求項２に記載の外壁パネルの支持構造によると、請求項１に記載の外壁パネル支持具を用いた外壁パネルの支持構造であって、前記外壁パネルには、前記軸組に取付けたときに、前記支持具本体の垂直部に設けられた受部に整合する位置に前記貫入孔を設けているので、予めそれぞれの外壁パネルの適切な位置に貫入孔を開けておくことで、極めて簡単に軸組に外壁パネルを支持させることができる。
【図面の簡単な説明】
【００１１】
【図１】本願の外壁パネル支持具の外観を説明する斜視図。
【図２】外壁パネル支持具により外壁パネルが取付けられる状態を説明する省略斜視図。
【図３】外壁パネルを軸組に支持させる工程を説明する図であって、外壁パネルに支持具本体を固定する状態を説明する図。
【図４】外壁パネルに支持具本体を固定した後、支持具本体の支持部を軸組に載置する状態を説明する図。
【図５】外壁パネル支持具により外壁パネルを軸組に支持させる状態を説明する図。
【図６】外壁パネル間の縦目地を上方からみた図であって、外壁パネルを固定する固定具とこの固定具に固定される取付片とを説明する図。
【図７】外壁パネル支持具を用いて１階と２階との間の胴差部に外壁パネルを配置した状態を説明する図。
【図８】従来の外壁パネルの取付構造を説明する図。
【発明を実施するための形態】
【００１２】
以下、この発明における外壁パネル支持具１及び外壁パネルの支持構造２について、各図を参照しつつ説明する。外壁パネル支持具１は、外壁パネル３を住宅等の建物の軸組４に固定する際に、外壁パネル３の荷重を支持するものである。この外壁パネル支持具１は、図１に示すように金属板材をＬ字状に折り曲げて水平部５と垂直部６とを有する支持具本体７とし、この支持具本体７の水平部５に設けられた内部に雌ネジが形成された貫通孔８に螺合するとともに、軸組４の水平に架設されたＣ型鋼４ａに挿入されて載置されるボルト９及びナット１０から形成された支持部１１と、垂直部６の中央付近から屋外方向に突出し、外壁パネル３に設けられた貫入孔１２に貫入して外壁パネル３の荷重を受ける受部１３と、により構成されている。また、垂直部６には、外壁パネル支持具１に外壁パネル３を取付ける際にネジ１８を外壁パネル３にねじ込んで外壁パネル３を仮固定するための仮固定孔１４が設けられている。
【００１３】
軸組４は、例えば図２に示すように、断面が略Ｃ型字形状のＣ型鋼４ａを矩形に組み合わせて溶接等により固定したものであり、梁１５などに固定されて、建物の構造躯体を形成するものである。この軸組４には、例えば設計上その中間部にＣ型鋼４ａをさらに架設するものもある。また、この軸組４は、軒下やバルコニーなどの建物の形状に応じて矩形以外の形状となる場合もある。また、外壁パネル３は、軸組４に取付ける際に、外壁パネル支持具１の受部１３と整合する位置に貫入孔１２が予め形成されている。この貫入孔１２は、外壁パネルの屋内側から所定の深さまで陥没されている。なお、図示しないがこの貫入孔１２に例えば補強用パイプを挿入しておくこともでき、補強用パイプの内側に受部１３を貫入する構成としてもよい。
【００１４】
外壁パネル支持具１は、例えば図２及び図５にに示すように基礎立上がり部１６の直上に配置された軸組４の下枠に当る水平に架設されたＣ型鋼４ａに載置されて外壁パネル３を支持するものや、軸組４の中間部に水平に架設されたＣ型鋼４ａに載置されて外壁パネル３を支持するもののほか、例えば図７に示すように２階部分及び１階と２階との間の胴差部分を覆うように形成された外壁パネル３を支持するために梁１５の上側に設けられた軸組４のＣ型鋼４ａに載置されて外壁パネル３を支持することもできる。
【００１５】
このように構成される外壁パネル支持具１を用いて、外壁パネル３を軸組４により支持する際には、まず、図３に示すように、外壁パネル３に設けられた貫入孔１２に外壁パネル支持具１の受部１３を挿入する。なお、この貫入孔１２は、外壁パネル３を設置する箇所の軸組４の位置に合わせて予め掘られたものであり、外壁パネル３を製造する工場又は外壁パネル３を組み立てる住宅施工現場で開けられたものである。そして、次に、図４に示すように、外壁パネル３から外壁パネル支持具１が脱落しないように、仮固定孔１４にネジ１８を挿入して、このネジ１８を外壁パネル３にねじ込み固定する。そして、外壁パネル支持具１の水平部５に設けられた貫通孔８に螺合しているボルト９及びナット１０から構成される支持部１１がＣ型鋼４ａの溝４ｂに挿入されるように外壁パネル３を移動させる。そして、図５に示すように、ボルト９及びナット１０がＣ型鋼４ａの底面に載置されるように外壁パネル３の位置を調整する。これにより外壁パネル３の荷重は、外壁パネル支持具１を介して軸組４により支持される。なお、支持具本体７の水平部５に設けられた貫通孔８はボルト９と螺合しているので、このボルト９を締結方向または弛緩方向に回転させることにより、支持具本体７の高さを調整することができ、ひいては受部１３の高さを調整して、外壁パネル３を適切な位置に固定することができる。
【００１６】
そして、次に、図６に示すように、外壁パネル３の屋内側側方に設けられた取付片１９に軸組４の垂直部分に固定された固定具２０を固定する。なお、この固定具２０は外壁パネル３間の縦目地の奥に設けられたネジ２２を回転させることにより、固定具２０の押さえ片２１を取付片１９に引っ掛けることができるものであり、外壁パネル３を取り外したい場合には、屋外側からこのネジ２２を緩めて押さえ片２１を取付片１９から外すことにより取り外すことができる。
【００１７】
このように、外壁パネル支持具１を用いた外壁パネルの支持構造２によると、簡単な構成で外壁パネル３を固定することができる。また、外壁パネル３をメンテナンスなどの必要から取り外す場合においても、外壁パネル３の屋内側側方に設けられた取付片１９を固定している押さえ片２１を外した後、外壁パネル３をやや上方に持ち上げてＣ型鋼４ａの底面に載置されている外壁パネル支持具１の支持部１１を引き上げた後、外壁パネル３を屋外側に引き離すことで、屋外側から簡単に取り外すことができ、容易にメンテナンスすることができる。
【００１８】
また、図７に示すように、外壁パネル３を梁１５が設けられた胴差部分を覆うように取付ける場合にも、外壁パネル支持具１の受部１３と整合する位置の外壁パネル３の屋内側面に貫入孔１２が設けられており、上述の基礎立上がり部１６の直上に配置された軸組４に外壁パネル３を支持させる場合と同様に、貫入孔１２に外壁パネル支持具１の受部１３を挿入する。そして、さらにネジ１８を仮固定孔１４に挿入して、そのまま外壁パネル３にねじ込んで外壁パネル支持具１を外壁パネル３に固定する。そして、そして、梁１５の上に設置されているＣ型鋼４ａの溝４ｂにボルト９及びナット１０から構成される支持部１１が挿入されるように、外壁パネル３を移動させて、Ｃ型鋼４ａの底面に支持部１１を載置する。その後、図６で示すように、外壁パネル３の屋内側側方に設けられて隣り合う２つの取付片１９に軸組４の垂直部分に固定された固定具２０の両端部を固定する。
【００１９】
このように本実施形態の外壁パネルの支持構造２によると、外壁パネル３の下端が、軸組４の水平に架設されたＣ型鋼４ａの位置と大きく離反しているような場合でも、外壁パネル３の貫入孔１２を開ける位置を変えるだけで、同じ外壁パネル支持具１を用いて外壁パネル３を支持することができるので、極めて簡単な構成で部品種類を減らすことができる。
【００２０】
なお、本発明の実施の形態は上述の形態に限ることなく、本発明の思想の範囲を逸脱しない範囲で適宜変更することができることは云うまでもない。
【産業上の利用可能性】
【００２１】
本発明に係る外壁パネル支持具１及び外壁パネル支持構造は、例えば住宅の外壁パネル３を支持する治具として好適に用いることができる。
【符号の説明】
【００２２】
１    外壁パネル支持具
２    外壁パネルの支持構造
３    外壁パネル
４    軸組
５    水平部
６    垂直部
７    支持具本体
１１  支持部
１２  貫入孔
１３  受部
【図１】
2010222906.tif 000003
【図２】
2010222906.tif 000004
【図３】
2010222906.tif 000005
【図４】
2010222906.tif 000006
【図５】
2010222906.tif 000007
【図６】
2010222906.tif 000008
【図７】
2010222906.tif 000009
【図８】
2010222906.tif 000010